(57)【特許請求の範囲】
【請求項１】
便器に流すための水を貯水する貯水タンクと、
該貯水タンクの一方側側壁に固定される水道水選択器と、
前記貯水タンクの他方側側壁に固定される雨水選択器とを具備してなる雨水を有効利用した便器洗浄装置であって、
前記水道水選択器は、
前記貯水タンクに内包され下部に小穴を有する有底筒状体と、
管路内に水道水開閉弁を配設し、管路基端を水道管に接続し、前記貯水タンクへ放水するための水道水放水管を管路末端に接続した水道水案内管路を有する水道水案内筐体と、
該水道水案内筐体から前記有底筒状体内の下方に延設する水道水ガイド棒と、
軸穴を前記水道水ガイド棒に遊嵌した水道水用の浮きと、
該水道水用の浮きと前記水道水開閉弁とを連結し、前記水道水用の浮きが前記水道水ガイド棒の下方へ移動すると前記水道水開閉弁を開弁させる水道水用のリンクとを備え、
前記雨水選択器は、
管路内に雨水開閉弁を配設し、管路基端を雨水タンクに接続し、前記貯水タンクへ放水するための雨水放水管を管路末端に接続した雨水案内管路を有する雨水案内筐体と、
該雨水案内筐体から前記貯水タンク内の下方に延設する雨水ガイド棒と、
軸穴を前記雨水ガイド棒に遊嵌した雨水用の浮きと、
該雨水用の浮きと前記雨水開閉弁とを連結し、前記雨水用の浮きが前記雨水ガイド棒の下方へ移動すると前記雨水開閉弁を開弁させる雨水用のリンクとを備えることを特徴とする雨水を有効利用した便器洗浄装置。
【請求項２】
便器に流すための水を貯水する貯水タンクと、
該貯水タンクの一方側側壁に固定される水道水選択器と、
前記貯水タンクの他方側側壁に固定される浮式の雨水選択器とを具備してなる雨水を有効利用した便器洗浄装置であって、
前記水道水選択器は、
前記貯水タンクに内包され下部に小穴を有する有底筒状体と、
管路内に水道水開閉弁を配設し、管路基端を水道管に接続し、前記貯水タンクへ放水するための水道水放水管を管路末端に接続した水道水案内管路を有する水道水案内筐体と、
該水道水案内筐体から前記有底筒状体内の下方に延設する水道水ガイド棒と、
軸穴を前記水道水ガイド棒に遊嵌した水道水用の浮きと、
該水道水用の浮きと前記水道水開閉弁とを連結し、前記水道水用の浮きが前記水道水ガイド棒の下方へ移動すると前記水道水開閉弁を開弁させる水道水用のリンクとを備え、
前記浮式の雨水選択器は、
管路内に開閉弁を配設し、管路基端を雨水タンクに接続し、前記貯水タンクへ放水するための放水口を管路末端に設けた水案内管路を有する水案内筐体と、
該水案内筐体の下部に回動可能に懸下され、先端に配設した前記貯水タンク内の浮きが下がると前記開閉弁を開弁させるリンクとを備えることを特徴とする雨水を有効利用した便器洗浄装置。
【発明の詳細な説明】
【技術分野】
【０００１】
本発明は、雨水を有効利用した便器洗浄装置に関する。
【背景技術】
【０００２】
用を足した便器を洗浄する水は、飲料しないため、水道水を使う必要がなく、雨水を使うこともできる。
しかし、貯留タンクに貯留できる雨水には限りがあるので、貯留タンクが空になると、水道水に切り替える必要が生じる。
【０００３】
特許文献１〜３には、雨水を利用した便器洗浄装置が開示されている。
【先行技術文献】
【特許文献】
【０００４】
【特許文献１】特許第３４７６２９０号公報
【特許文献２】特許第３７４１７６３号公報
【特許文献３】特許第３５３７２７２号公報
【発明の概要】
【発明が解決しようとする課題】
【０００５】
特許文献１には、雨水ロータンクおよび上水ロータンクにそれぞれ排水レバーを取り付け二ロータンクトイレが記載されている。
特許文献２には、送水ポンプにより雨水貯留タンクの雨水を水洗タンク内へ送給する雨水利用の便器洗浄水供給装置が記載されている。
特許文献３には、雨水供給管に水道水が流れた時にジェットポンプにより雨水タンク内の雨水を雨水供給管内に汲み入れる水洗トイレ用貯留タンクへの雨水供給装置が記載されている。
【０００６】
特許文献１に記載の二ロータンクトイレは、利用者が雨水ロータンクの排水レバーを積極的に操作しないと雨水の有効利用が図れないともに、ロータンクの部品（ゴムフロート、フォート管、鎖）が二重に必要になる。
特許文献２に記載の水洗トイレ用貯水タンクへの雨水供給装置は、送水ポンプおよび送水ポンプを動かすための電力が必要である。
特許文献３に記載の水洗トイレ用貯水タンクへの雨水供給装置は、雨水供給管に水道水が流れた時だけ雨水タンク内の雨水が雨水供給管内へ汲み入れられるため、雨水の利用率が悪い。
【０００７】
そこで、本願発明者は、貯水タンクに貯水しておいた雨水が無くなった場合でも便器の洗浄が可能な雨水を有効利用した便器洗浄装置を平成２４年９月２６日に出願した。
しかし、上記便器洗浄装置には、既設のタンクを交換する必要があり、後付けできないという課題が新たに見い出された。
本発明の目的は、既設の貯水タンクに後付けが可能であり、雨水を効率的に利用でき、貯水タンクに貯水しておいた雨水が無くなった場合には水道水で便器の洗浄が可能な雨水を利用した便器洗浄装置の提供にある。
【課題を解決するための手段】
【０００８】
（請求項１について）
雨水を有効利用した便器洗浄装置は、便器に流すための水を貯水する貯水タンクと、貯水タンクの一方側側壁に固定される水道水選択器と、貯水タンクの他方側側壁に固定される雨水選択器とを具備してなる。
【０００９】
水道水選択器は、貯水タンクに内包され下部に小穴を有する有底筒状体と、管路内に水道水開閉弁を配設し、管路基端を水道管に接続し、貯水タンクへ放水するための水道水放水管を管路末端に接続した水道水案内管路を有する水道水案内筐体と、水道水案内筐体から有底筒状体内の下方に延設する水道水ガイド棒と、軸穴を水道水ガイド棒に遊嵌した水道水用の浮きと、水道水用の浮きと水道水開閉弁とを連結し、水道水用の浮きが水道水ガイド棒の下方へ移動すると水道水開閉弁を開弁させる水道水用のリンクとを備える。
【００１０】
雨水選択器は、管路内に雨水開閉弁を配設し、管路基端を雨水タンクに接続し、貯水タンクへ放水するための雨水放水管を管路末端に接続した雨水案内管路を有する雨水案内筐体と、雨水案内筐体から貯水タンク内の下方に延設する雨水ガイド棒と、軸穴を雨水ガイド棒に遊嵌した雨水用の浮きと、雨水用の浮きと雨水開閉弁とを連結し、雨水用の浮きが雨水ガイド棒の下方へ移動すると雨水開閉弁を開弁させる雨水用のリンクとを備える。
【００１１】
請求項１の雨水を有効利用した便器洗浄装置は、下記の様に作動する。
（雨水タンクに雨水が貯水されている場合）
便器に流すための水が貯水タンクに貯水されている。
貯水タンクの一方側側壁に固定される水道水選択器の有底筒状体内の水位は、筒状体下部の小穴により、貯水タンク内の水位と同じである。
【００１２】
用を足すと、吐出口の栓が抜かれるので、貯水タンクに貯水された水が一気に便器へ流出し、貯水タンク内の水位が急激に下がっていき、略空になる。なお、略空になると、吐出口が再び、栓で塞がれる。
【００１３】
貯水タンクの水位低下により、雨水用の浮きが雨水ガイド棒の下方へ移動し、雨水用のリンクにより雨水開閉弁が開弁する。このため、雨水放水管から貯水タンクへ雨水が放水され、再び貯水タンク内の水位が上がっていく。
【００１４】
なお、貯水タンクの水位が低下した際に、下部の小穴から貯水タンクへ、有底筒状体内の水がゆっくり流出していくが、貯水タンクへ雨水が放水されるので、有底筒状体の水道水用の浮きは、一旦、僅かに下がるが再び上がっていくため、水道水開閉弁が閉弁状態を維持する。
【００１５】
雨水タンクに雨水が貯水されている場合には、用を足して、貯水タンクに貯水された水を便器へ流出させても水道水が使われず、雨水タンクの雨水が使われる。
【００１６】
（雨水タンクが空の場合）
便器に流すための水が貯水タンクに貯水されている。
貯水タンクの一方側側壁に固定される水道水選択器の有底筒状体内の水位は、筒状体下部の小穴により、貯水タンク内の水位と同じである。
【００１７】
用を足すと、吐出口の栓が抜かれるので、貯水タンクに貯水された水が一気に便器へ流出し、貯水タンク内の水位が急激に下がっていき、略空になる。なお、略空になると、吐出口が、再び栓で塞がれる。
【００１８】
貯水タンクの水位低下により、雨水用の浮きが雨水ガイド棒の下方へ移動し、雨水用のリンクにより雨水開閉弁が開弁するが、雨水タンクが空のため、雨水放水管から貯水タンクへ雨水が放水されない。
【００１９】
貯水タンクの水位が低下すると、下部の小穴から貯水タンクへ、有底筒状体内の水が流出していくので、水道水用の浮きが下がり、水道水開閉弁が開弁する。
雨水タンクに雨水が貯水されていない場合には、用を足して、貯水タンクに貯水された水を便器へ流出させると、水道水が使われる。
【００２０】
雨水を有効利用した便器洗浄装置は、雨水タンクに雨水が有る状態で用を足すと、水道水開閉弁が開かず雨水開閉弁が開弁するので、雨水放水管から貯水タンクへ雨水が放水される。また、雨水タンクの雨水が無くなっている状態で用を足すと、水道水開閉弁が開弁して水道水が貯水タンクに放水される。
【００２１】
つまり、雨水を有効利用した便器洗浄装置は、雨水タンクに雨水が有る状態では、便器の洗浄を雨水で行え、雨水タンクの雨水が無くなると水道水で便器の洗浄が行われるので雨水を有効利用することができる。
【００２２】
雨水を有効利用した便器洗浄装置は、便器に流すための水を貯水する貯水タンクの一方側側壁に水道水選択器を固定し、貯水タンクの他方側側壁に雨水選択器を固定する構造であるので、既設の貯水タンクに容易に後付けすることが可能である。
【００２３】
（請求項２について）
雨水を有効利用した便器洗浄装置は、便器に流すための水を貯水する貯水タンクと、貯水タンクの一方側側壁に固定される水道水選択器と、貯水タンクの他方側側壁に固定される浮式の雨水選択器とを具備してなる。
【００２４】
水道水選択器は、貯水タンクに内包され下部に小穴を有する有底筒状体と、管路内に水道水開閉弁を配設し、管路基端を水道管に接続し、貯水タンクへ放水するための水道水放水管を管路末端に接続した水道水案内管路を有する水道水案内筐体と、水道水案内筐体から有底筒状体内の下方に延設する水道水ガイド棒と、軸穴を水道水ガイド棒に遊嵌した水道水用の浮きと、水道水用の浮きと水道水開閉弁とを連結し、水道水用の浮きが水道水ガイド棒の下方へ移動すると水道水開閉弁を開弁させる水道水用のリンクとを備える。
【００２５】
浮式の雨水選択器は、管路内に開閉弁を配設し、管路基端を雨水タンクに接続し、貯水タンクへ放水するための放水口を管路末端に設けた水案内管路を有する水案内筐体と、水案内筐体の下部に回動可能に懸下され、先端に配設した貯水タンク内の浮きが下がると開閉弁を開弁させるリンク棒とを備える。
【００２６】
請求項２の雨水を有効利用した便器洗浄装置は、下記の様に作動する。
（雨水タンクに雨水が貯水されている場合）
便器に流すための水が貯水タンクに貯水されている。
貯水タンクの一方側側壁に固定される水道水選択器の有底筒状体内の水位は、筒状体下部の小穴により、貯水タンク内の水位と同じである。
【００２７】
用を足すと、吐出口の栓が抜かれるので、貯水タンクに貯水された水が一気に便器へ流出し、貯水タンク内の水位が急激に下がっていき、略空になる。なお、略空になると、吐出口が再び、栓で塞がれる。
【００２８】
貯水タンクの水位低下により、浮きが下がり、リンクにより開閉弁が開弁する。このため、放水口から貯水タンクへ雨水が放水され、再び貯水タンク内の水位が上がっていく。  
【００２９】
なお、貯水タンクの水位が低下した際に、下部の小穴から貯水タンクへ、有底筒状体内の水がゆっくり流出していくが、貯水タンクへ雨水が放水されるので、有底筒状体の水道水用の浮きは、一旦、僅かに下がるが再び上がっていくため、水道水開閉弁が閉弁状態を維持する。
【００３０】
雨水タンクに雨水が貯水されている場合には、用を足して、貯水タンクに貯水された水を便器へ流出させても水道水が使われず、雨水タンクの雨水が使われる。
【００３１】
（雨水タンクが空の場合）
便器に流すための水が貯水タンクに貯水されている。
貯水タンクの一方側側壁に固定される水道水選択器の有底筒状体内の水位は、筒状体下部の小穴により、貯水タンク内の水位と同じである。
【００３２】
用を足すと、吐出口の栓が抜かれるので、貯水タンクに貯水された水が一気に便器へ流出し、貯水タンク内の水位が急激に下がっていき、略空になる。なお、略空になると、吐出口が再び、栓で塞がれる。
【００３３】
貯水タンクの水位低下により、浮きが下がり、リンクにより開閉弁が開弁するが、雨水タンクが空のため、放水口から貯水タンクへ雨水が放水されない。
貯水タンクの水位が低下すると、下部の小穴から貯水タンクへ、有底筒状体内の水が流出していくので、水道水用の浮きが下がり、水道水開閉弁が開弁する。
【００３４】
雨水タンクに雨水が貯水されていない場合には、用を足して、貯水タンクに貯水された水を便器へ流出させると、水道水が使われる。
雨水を有効利用した便器洗浄装置は、雨水タンクに雨水が有る状態で用を足すと、水道水開閉弁が開かず開閉弁が開弁するので、放水管から貯水タンクへ雨水が放水される。また、雨水タンクの雨水が無くなっている状態で用を足すと、水道水開閉弁が開弁して水道水が貯水タンクに放水される。
【００３５】
つまり、雨水を有効利用した便器洗浄装置は、雨水タンクに雨水が有る状態では、便器の洗浄を雨水で行え、雨水タンクの雨水が無くなると水道水で便器の洗浄が行われるので雨水を有効利用することができる。
【００３６】
雨水を有効利用した便器洗浄装置は、便器に流すための水を貯水する貯水タンクの一方側側壁に水道水選択器を固定し、貯水タンクの他方側側壁に浮式の雨水選択器を固定する構造であるので、既設の貯水タンクに容易に後付けすることが可能である。
【図面の簡単な説明】
【００３７】
【図１】本発明の実施例１に係る雨水を有効利用した便器洗浄装置であって、雨水タンクに雨水が有る場合（実線…満水で待機時、破線…用足し直後）の状態を示す説明図である。
【図２】本発明の実施例１に係る雨水を有効利用した便器洗浄装置であって、雨水タンクが空で、用を足した直後の状態を示す説明図である。
【図３】本発明の実施例１に係る雨水を有効利用した便器洗浄装置であって、雨水タンクが空で、注水時の状態を示す説明図である。
【図４】本発明の実施例２に係る雨水を有効利用した便器洗浄装置であって、雨水タンクに雨水が有る場合（実線…満水で待機時、破線…用足し直後）の状態を示す説明図である。
【図５】本発明の実施例２に係る雨水を有効利用した便器洗浄装置であって、雨水タンクが空で、用を足した直後の状態を示す説明図である。
【図６】本発明の実施例２に係る雨水を有効利用した便器洗浄装置であって、雨水タンクが空で、注水時の状態を示す説明図である。
【発明を実施するための形態】
【実施例１】
【００３８】
本発明の実施例１（請求項１に対応）を図１〜図３に基づいて説明する。
図に示す雨水を有効利用した便器洗浄装置Ａは、便器に流すための水を貯水する貯水タンク１と、貯水タンク１の一方側側壁１１に固定される水道水選択器２と、貯水タンク１の他方側側壁１２に固定される雨水選択器３とを具備してなる。
貯水タンク１は、上面が開口した箱状を呈す、陶器で形成されている。この貯水タンク１の底面には、タンク内の水を便器に流すための送水管１３が接続されている。
【００３９】
水道水選択器２は、下部に小穴２０、２０を有し、一方側側壁１１に固定される有底筒状体２１と、管路内に水道水開閉弁を配設し、管路基端２２に水道管を接続し、貯水タンク１へ放水するための水道水放水管２３を管路末端に接続した水道水案内管路を有し、一方側側壁１１に固定される水道管案内筐体２４と、水道水案内筐体２４から筒状体下方に延設する水道水ガイド棒２５と、軸穴２６を水道水ガイド棒２５に遊嵌した水道水用の浮き２７と、水道水用の浮き２７と水道水開閉弁とを連結し、水道水用の浮き２７が水道水ガイド棒２５の下方へ移動すると水道水開閉弁を開弁させる水道水用のリンク２８とを備える。
【００４０】
雨水選択器３は、管路内に雨水開閉弁を配設し、管路基端３１を雨水タンク１に接続し、貯水タンク１へ放水するための雨水放水管３２を管路末端に接続した雨水案内管路を有し、他方側側壁１２に固定される雨水案内筐体３３と、雨水案内筐体３３からタンク下方に延設する雨水ガイド棒３４と、軸穴３５を雨水ガイド棒３４に遊嵌した雨水用の浮き３６と、雨水用の浮き３６と雨水開閉弁とを連結し、雨水用の浮き３６が雨水ガイド棒３４の下方へ移動すると雨水開閉弁を開弁させる雨水用のリンク３７とを備える。
【００４１】
実施例１の雨水を有効利用した便器洗浄装置Ａは、下記の様に作動する。
（雨水タンクに雨水が貯水されている場合；図１参照）
図１の実線に示す様に、便器に流すための水が貯水タンク１に貯水されている。
図１の実線に示す様に、貯水タンク１の一方側側壁１１に固定される水道水選択器２の有底筒状体２０内の水位は、筒状体下部の小穴２０、２０により、貯水タンク１内の水位と同じである。
【００４２】
用を足すと、導水管１３の吐出口の栓が抜かれるので、貯水タンク１に貯水された水が一気に便器に流出し、貯水タンク１内の水位が急激に下がっていき（図１の破線）、短時間で略空になる。なお、略空になると、導水管１３の吐出口が、再び栓１４で塞がれる。  貯水タンク１の水位低下により、雨水用の浮き３６が雨水ガイド棒３４の下方へ移動し、雨水用のリンク３７により雨水開閉弁が開弁する（図１の破線）。このため、雨水放水管３２から貯水タンク１へ雨水が放水され（図１の破線）、再び貯水タンク１内の水位が上がっていく。
【００４３】
なお、貯水タンク１の水位が低下した際に、下部の小穴２０、２０から貯水タンク１へ、有底筒状体２１内の水がゆっくり流出していくが（図１の破線）、貯水タンク１へ雨水放水管３２から雨水が放水されるので、有底筒状体２１の水道水用の浮き２７は、一旦、僅かに下がるが、再び上がっていくため、水道水開閉弁が閉弁状態を維持する。
【００４４】
雨水タンクに雨水が貯水されている場合には、用を足して、貯水タンク１に貯水された水を便器に流出させても水道水が使われず、雨水タンクの雨水が使われる。
【００４５】
（雨水タンクが空の場合；図２、図３参照）
便器に流すための水が貯水タンク１に貯水されている。
貯水タンク１の一方側側壁１１に固定される水道水選択器２の有底筒状体２１内の水位は、筒状体下部の小穴２０、２０により、貯水タンク１内の水位と同じである。
【００４６】
用を足すと、吐出口の栓が抜かれるので、貯水タンク１に貯水された水が一気に便器へ流失し、貯水タンク１内の水位が急激に下がっていき（図２の状態）、短時間で略空になる。なお、略空になると、吐出口が再び、栓で塞がれる（図３の状態）。
【００４７】
貯水タンク１の水位低下により、雨水用の浮き３６が雨水ガイド棒３４の下方へ移動し、雨水用のリンク３７により雨水開閉弁が開弁するが、雨水タンクが空のため、雨水放水管３２から貯水タンク１へ雨水が放水されない（図２の状態）。
【００４８】
貯水タンク１の水位が低下すると、下部の小穴２０、２０から貯水タンク１へ、有底筒状体２１内の水が流出していくので、水道水用の浮き２７が下がり、水道水開閉弁が開弁する（図２の状態）。
【００４９】
雨水タンクに雨水が貯水されていない場合には、用を足して、貯水タンク１に貯水された水を便器に流出させると、水道水が使われる。
【００５０】
この雨水を有効利用した便器洗浄装置Ａは、雨水タンクに雨水が有る状態で用を足すと、水道水開閉弁が開かず雨水開閉弁が開弁するので、雨水放水管３２から貯水タンク１へ雨水が放水される。また、雨水タンクの雨水が無くなっている状態で用を足すと、水道水開閉弁が開弁して水道水が貯水タンク１に放水される。
【００５１】
つまり、雨水を有効利用した便器洗浄装置Ａは、雨水タンクに雨水が有る状態では、便器の洗浄を雨水で行え、雨水タンクの雨水が無くなると水道水で便器の洗浄が行われるので雨水を有効利用することができる。
【００５２】
雨水を有効利用した便器洗浄装置Ａは、便器に流すための水を貯水する貯水タンク１の一方側側壁に水道水選択器２を固定し、貯水タンク１の他方側側壁１２に雨水選択器３を固定する構造であるので、既設の貯水タンク１に容易に後付けすることが可能である。
【実施例２】
【００５３】
本発明の実施例２（請求項２に対応）を図４〜図６に基づいて説明する。
図に示す雨水を有効利用した便器洗浄装置Ｂは、便器に流すための水を貯水する貯水タンク１と、貯水タンク１の一方側側壁１１に固定される水道水選択器２と、貯水タンク１の他方側側壁１２に固定される浮式の雨水選択器４とを具備してなる。
【００５４】
水道水選択器２は、下部に小穴２０、２０を有し、一方側側壁１１に固定される有底筒状体２１と、管路内に水道水開閉弁を配設し、管路基端２２を水道管に接続し、貯水タンク１へ放水するための水道水放水管２３を管路末端に接続した水道水案内管路を有し、一方側側壁１１に固定される水道水案内筐体２４と、水道水案内筐体２４から筒状体下方に延設する水道水ガイド棒２５と、軸穴２６を水道水ガイド棒２５に遊嵌した水道水用の浮き２７と、水道水用の浮き２７と水道水開閉弁とを連結し、水道水用の浮き２７が水道水ガイド棒２５の下方へ移動すると水道水開閉弁を開弁させる水道水用のリンク２８とを備える。
【００５５】
浮式の雨水選択器４は、管路内に開閉弁を配設し、管路端端４１を雨水タンクに接続し、貯水タンク１へ放水するための放水口４２を管路末端に接続した水案内管路を有する水案内筐体４３と、水案内筐体４３の下部に回動可能に懸下され、先端に配設した浮き４４が下がると開閉弁を開弁させるリンク４５とを備える。
【００５６】
実施例２の雨水を有効利用した便器洗浄装置Ｂは、下記の様に作動する。
（雨水タンクに雨水が貯水されている場合；図４参照）
便器に流すための水が貯水タンク１に貯水されている。
貯水タンク１の一方側側壁１１に固定される水道水選択器２の有底筒状体２１内の水位は、筒状体下部の小穴２０、２０により、貯水タンク１内の水位と同じである。
【００５７】
用を足すと、送水管１３の吐出口の栓１４が抜かれるので、貯水タンク１に貯水された水が一気に便器へ流出し、貯水タンク１内の水位が急激に下がっていき、略空になる。なお、略空になると、送水管１３の吐出口が再び、栓１４で塞がれる。
【００５８】
貯水タンク１の水位低下により、浮き４４が下がり、リンク４５により開閉弁が開弁する。このため、放水口４２から貯水タンク１へ雨水が放水され、再び貯水タンク１内の水位が上がっていく。
【００５９】
なお、貯水タンク１の水位が低下した際に、下部の小穴２０、２０から貯水タンク１へ、有底筒状体２１内の水がゆっくり流出していくが、貯水タンク１へ雨水が放水されるので、有底筒状体２１の水道水用の浮き２７は、一旦、僅かに下がるが再び上がっていくため、水道水開閉弁が閉弁状態を維持する。
【００６０】
雨水タンクに雨水が貯水されている場合には、用を足して、貯水タンク１に貯水された水を便器へ流出させても水道水が使われず、雨水タンクの雨水で使われる。
【００６１】
（雨水タンクが空の場合；図５、６参照）
便器に流すための水が貯水タンク１に貯水されている。
貯水タンク１の一方側側壁１１に固定される水道水選択器２の有底筒状体内２１の水位は、筒状体下部の小穴２０、２０により、貯水タンク１内の水位と同じである。
【００６２】
用を足すと、送水管１３の吐出口の栓１４が抜かれるので、貯水タンク１に貯水された水が一気に便器へ流出し、貯水タンク１内の水位が急激に下がっていき、貯水タンク１が略空になる。なお、貯水タンク１が略空になると、送水管１３の吐出口が再び、栓１４で塞がれる。
【００６３】
貯水タンク１の水位低下により、浮き４４が下がり、リンク４５により開閉弁が開弁するが、雨水タンクが空のため、放水口４２から貯水タンク１へ雨水が放水されない（図５参照）。
【００６４】
貯水タンク１の水位が低下すると、下部の小穴２０、２０から貯水タンク１へ、有底筒状体２１内の水が流出していくので、水道水用の浮き２７が下がり、水道水開閉弁が開弁する。
【００６５】
雨水タンクに雨水が貯水されていない場合には、用を足して、貯水タンクに貯水された水を便器へ流出させると、水道水が使われる。
【００６６】
雨水を有効利用した便器洗浄装置Ｂは、雨水タンクに雨水が有る状態で用を足すと、水道水開閉弁が開かず開閉弁が開弁するので、放水管から貯水タンクへ雨水が放水される。また、雨水タンクの雨水が無くなっている状態で用を足すと、水道水開閉弁が開弁して水道水が貯水タンクに放水される。
【００６７】
つまり、雨水を有効利用した便器洗浄装置Ｂは、雨水タンクに雨水が有る状態では、便器の洗浄を雨水で行え、雨水タンクの雨水が無くなると水道水で便器の洗浄が行われるので雨水を有効利用することができる。
【００６８】
雨水を有効利用した便器洗浄装置Ｂは、便座に流すための水を貯水する貯水タンク１の一方側側１１壁に水道水選択器２を固定し、貯水タンク１の他方側側壁１２に浮式の雨水選択器４を固定する構造であるので、既設の貯水タンク１に容易に後付けすることが可能である。
【符号の説明】
【００６９】
Ａ、Ｂ  雨水を有効利用した便器洗浄装置
１  貯水タンク
２  水道水選択器
３  雨水選択器
４  浮式の雨水選択器
１１  一方側側壁
１２  他方側側壁
２０  小穴
２１  有底筒状体
２２  管路基端
２３  水道水放水管
２４  水道水案内筐体
２５  水道水ガイド棒
２６、３５  軸穴
２７  水道水用の浮き
２８  水道水用のリンク
３１、４１  管路基端
３２  雨水放水管
３３  雨水案内筐体
３４  雨水ガイド棒
３６  雨水用の浮き
３７  雨水用のリンク
４２  放水口
４３  水案内筐体
４４  浮き
４５  リンク
【図１】
0006752021.tif 000002
【図２】
0006752021.tif 000003
【図３】
0006752021.tif 000004
【図４】
0006752021.tif 000005
【図５】
0006752021.tif 000006
【図６】
0006752021.tif 000007